(57)【特許請求の範囲】
【請求項１】
少なくとも鉄、ニッケル、コバルトを含む金属が含まれる排水に硫酸を添加し前記金属が含まれる排水のｐＨを４以下に調整する工程と、
前記金属が含まれる排水のｐＨを４以下に調整する工程後に前記金属が含まれる排水を６０分保持する工程と、
前記金属が含まれる排水を６０分保持する工程後に前記金属が含まれる排水のｐＨを５乃至１２に調整する工程を有し、
前記金属が含まれる排水のｐＨを５乃至１２に調整する工程後、前記金属が含まれる排水を固液分離槽で３０分放置し、
前記金属が含まれる排水のｐＨを５乃至１２に調整する工程の前段にキレート樹脂を投入する工程を設けたことを特徴とする排水処理方法。
【請求項２】
少なくとも鉄、ニッケル、コバルトを含む金属が含まれる排水に硫酸を添加し前記金属が含まれる排水のｐＨを４以下に調整する工程と、
前記金属が含まれる排水のｐＨを４以下に調整する工程後に前記金属が含まれる排水を６０分保持する工程と、
前記金属が含まれる排水を６０分保持する工程後に前記金属が含まれる排水のｐＨを５乃至１２に調整する工程を有し、
前記金属が含まれる排水のｐＨを５乃至１２に調整する工程の前段にキレート樹脂を投入する工程設けたことを特徴とする排水処理方法。
【発明の詳細な説明】
【技術分野】
【０００１】
本発明は、金属系排水に含まれることがある重金属を始めとする生体や環境に悪影響を及ぼす金属、思わぬ問題原因になると見込まれる金属を回収する金属回収方法と装置に関するものである。
【背景技術】
【０００２】
排水中の重金属などは生体や環境への影響上、古くから回収対象とされてきた。このような重金属を回収する技術は特許文献１〜８などで知られる。
【０００３】
特許文献１は、排水中の酸性または中性付近で沈澱しない、カドミウム、亜鉛、ニッケル、鉛および二価の鉄などの重金属を分離する際に、アルカリを加えて排水中の重金属を水酸化物として凝集させて固液分離した後、固液分離後のアルカリ性排水をｐＨ５以下とした後、キレート樹脂または弱酸性イオン交換樹脂でアルカリ性排水中の重金属イオンを効果的に吸着除去する技術を開示している。
【０００４】
特許文献２は、火力発電において電気集塵機、エアーヒータ等の機器類を洗浄したときの洗浄排水に含まれる亜鉛、銅、鉄、ニッケルなどの複数の重金属イオンや高濃度のアンモニウムイオンを除去するのに、重金属含有排水をｐＨ調整槽にてｐＨ調整した後、凝集沈殿処理により第１重金属イオンを分離除去し、この第１重金属イオン分離後の排水を先のｐＨ調整槽に戻して先のｐＨよりも高いｐＨに調整した後、凝集沈殿処理により第１重金属イオンとは異なる種類の重金属イオンを分離除去し、重金属イオンの凝集を図るためのｐＨ調整域が複数ある場合に対応した技術を開示している。
【０００５】
特許文献３は、銅、クロム、亜鉛、鉛、マンガン、鉄、ニッケル、カドミウムなどの重金属を含むメッキ排水、塗装排水を処理するのに、臭気の問題がなく放流に適合した中性のｐＨの点で有利なキレート系重金属捕集剤による重金属の凝集沈殿処理をする際に、キレート系重金属捕集剤の添加量と、このキレート系重金属捕集剤の添加前後の排水のＯＲＰ（酸化還元電位）の変化量を測定し、この測定結果に基づいて、キレート系重金属捕集剤の添加量を決定することで、排水中の重金属を除去するのに必要なキレート系重金属捕集剤の必要な添加量を、簡単かつ的確に決定できる技術を開示している。
【０００６】
特許文献４は、特許文献３の技術での問題点、ＯＲＰ値がｐＨの変動によって変動する点につき、ｐＨを一定に保ちながら特許文献３の処理を実行、キレート系重金属捕集剤の添加量に過不足が生じないようにする技術を開示している。
【０００７】
特許文献５は、自動車の車体の下塗りをする電着塗装の前処理や後処理、特に、化成処理で塗装面に形成するリン酸亜鉛などの皮膜を洗浄して多量に発生する洗浄排水に含まれる亜鉛などの重金属や、リン、フッ素を除去するのに、フロック形成層で重金属含有排水にｐＨ調整剤を含むフロック形成剤を添加して、重金属化合物のフロックを形成させた後、この重金属化合物のフロックを第１膜分離処理装置で排水から膜分離し、第１膜分離処理装置からのろ過水を第２膜分離処理装置で逆浸透膜（ＲＯ膜）により処理する技術を開示している。
【０００８】
特許文献６は、工場排水、重金属汚染土壌の浄化工事において発生する排水などの処理において、濁質を含む重金属含有排水に無機系凝集剤を添加して、攪拌した後、ゼオライトを添加し、重金属および濁質を容易に除去できる技術を開示し、ゼオライトを添加した後、高分子凝集剤を添加してもよいとしている。
【０００９】
特許文献７は、従来、鉱山廃水中の鉄、マンガン、銅、亜鉛あるいはアルミ二ウムなどの重金属が汚泥中に沈降除去される結果、廃棄物として排出以外の処理方法はなく、金属資源として再利用できなかったことに対応して、含有排水を第１の凝集槽でｐＨ３以上６以下に調整して、重金属含有排水中のフェライトの生成を抑える重金属の不溶化と、第１鉄イオンの一部を第２鉄イオンへの酸化と、を図って、重金属含有排水から汚泥を分離した後、第２の凝集槽でｐＨを７以上１１以下に調整して重金属含有排水中にフェライトを含む汚泥Ｍを生成させ、この汚泥Ｍを第１の沈殿槽で固液分離すると共に、分離した汚泥Ｍの重金属含有排水からフェライトを含む汚泥Ｍを効率よく生成でき、汚泥Ｍの発生量を削減できる技術を開示している。
【００１０】
特許文献８は、電池工場、ビニルコンパウンドの製造工場、半導体工場、メッキ工場などの工業排水での鉛を始めとするカドミウム、ニッケル、コバルト、クロム、銅、亜鉛などを含む重金属の除去処理において、重金属含有排水にキレート剤を添加して、重金属とのキレート化合物を形成した後、ｐＨ調整手段を有した中和槽でキレート化合物を含有する重金属含有排水中和し、この中和された排水に無機系凝集剤を添加して重金属含有不溶物を生成させてから、ろ材によりろ過して重金属含有不溶物を捕集することにより、重金属の除去率が高く、小型化が可能で、多量の凝集剤を必要としない技術を開示している。
【先行技術文献】
【特許文献】
【００１１】
【特許文献１】特開平８−１６８７９８号公報
【特許文献２】特開平１１−２２１５７５号公報
【特許文献３】特開２００１−３４０８７４号公報
【特許文献４】特開２００３−１６４８８６号公報
【特許文献５】特開２００３−３４０４５０号公報
【特許文献６】特開２００５−２８２４６号公報
【特許文献７】特開２００５−１２５３１６号公報
【特許文献８】特開２００６−２２４０２３号公報
【発明の概要】
【発明が解決しようとする課題】
【００１２】
上記のように、含有している重金属の種類、組み合わせに応じてそれぞれに工夫した排水処理が行われている。しかしこれらはイオン化し溶解した重金属化合物に有効な技術でしかない。これに対して、電子デバイス産業で使用される重金属類は金属単体あるいは酸化物など難溶性の化合物が使用されており、イオン化している排水は少ない。また最近の微細化で粒子径も微細粉末化が進んでいる。粉体の微細化により成分濃度の均質化のために分散剤が用いられるケースが増えている。この分散剤の影響により排水中に含まれる重金属イオンはコロイド状態を呈すものが多い。
【００１３】
従来は、これらの金属を処理するのに水酸化物として固液分離したり、重金属捕集剤あるいは重金属吸着樹脂に吸着させたりして処理していた。
【００１４】
しかし、分散剤を含む上記のような排水は、通常の水酸化物処理では容易に水酸化物が得られない。また、重金属捕集剤や重金属吸着樹脂にも吸着しないという課題があった。すなわち、上記排水中の重金属イオンの処理が困難な場合が多い。
【課題を解決するための手段】
【００１５】
上記の課題を解決するために、本発明の発明者は、多種類の金属が含まれる排水中の金属化合物を水酸化物として沈澱回収する前に、排水を酸性環境で十分酸分解反応を行うことで、界面活性剤などの微粒子分散効果を弱め、かつ酸により溶解した金属イオンの水酸化物化に伴って残留する微粒子を包含・凝集させることが可能であることを見出し、本発明を想到するに至った。具体的に本発明の排水処理方法は、少なくとも鉄、ニッケル、コバルトを含む金属が含まれる排水に硫酸を添加し前記金属が含まれる排水のｐＨを４以下に調整する工程と、前記金属が含まれる排水のｐＨを４以下に調整する工程後に前記金属が含まれる排水を６０分保持する工程と、前記金属が含まれる排水を６０分保持する工程後に前記金属が含まれる排水のｐＨを５乃至１２に調整する工程を有し、前記金属が含まれる排水のｐＨを５乃至１２に調整する工程後、前記金属が含まれる排水を固液分離槽で３０分放置し、前記金属が含まれる排水のｐＨを５乃至１２に調整する工程の前段にキレート樹脂を投入する工程を設けたことを特徴とするものである。 
【発明の効果】
【００１６】
本発明の金属処理方法によれば、排水中の少なくとも鉄、ニッケル、コバルトを含む金属をより効果的に回収できる。分散剤を含む重金属排水を水酸化物あるいは重金属捕集剤により固液分離したり、重金属吸着樹脂に吸着除去することが可能となる。
【図面の簡単な説明】
【００１７】
【図１】本発明に係る実施の形態の金属系排水の重金属分離装置の１つの例を示す概略ブロック図である。
【図２】本発明に係る実施の形態の金属系排水の重金属分離装置の１つの例を示す第２の概略ブロック図である。
【図３】本発明に係る実施の形態の金属系排水の重金属分離装置の１つの例を示す第３概略ブロック図である。
【発明を実施するための形態】
【００１８】
図１乃至図３に本発明の排水処理方法を実施するための施設の構成の一例を示す。本発明の排水処理方法は、電子デバイス関連の特に電池製造、コンデンサなどの電子部品製造、液晶・プラズマ・有機ＥＬなどのフラットパネルディスプレイ製造および半導体製造工程から排出される微粒子状縣濁物質を含有する排水の処理に好適に利用することができる。
【００１９】
図１において、複数の工程から排出される排水１はまず反応槽１０に送られる。反応槽１０は、耐酸性を有する材質で構成され、少なくともｐＨメータ１１ａが設置されている。また、複数の工程から排出される排水１には、複数の重金属イオンが含まれており、特有の重金属イオンを吸着させるために、その重金属イオンを吸着できる液体キレート剤３を適宜投入する。
【００２０】
本発明では排水を酸性にするため酸性剤２が投入される。酸性剤２の投入は反応槽１０に具備されたｐＨメータ１１ａによりｐＨ値が４以下（好ましくは３以下）になるように調整する。この反応槽１０は排水１の特性に応じた必要な反応時間以上に酸性状態が維持できるように反応槽１の容積を確保する。
【００２１】
また、排水１の重金属イオンの種類や量によって適宜、液体キレート剤３を投入してもよい。さらに、排水１に金属イオンが含まれない場合は、無機凝集剤、例えばポリ鉄、塩化鉄、硫酸バンドあるいはポリ塩化アルミニウムやなどを添加してもよい。
【００２２】
反応槽１０で酸分解された分解水は、反応槽１０内に具備しているバッフル板７ａを介してオーバーフローさせて、次のｐＨ調整槽２０に流入させる。このｐＨ調整槽２０では、アルカリ剤４が投入される。アルカリ剤４の投入はｐＨ調整槽２０に具備されたｐＨメータ１１ｂによりｐＨ値を５以上１２以下、好ましくは５．５以上１０．５以下の一定値の範囲内に調整される。次にｐＨ調整槽２０内に具備しているバッフル板７ｂを介してオーバーフローさせて、次の固液分離槽３０に流入させる。
【００２３】
このように反応槽１０内で酸分解した後に所定のｐＨ値とすることにより、単に無機凝集剤を添加しｐＨ値を調整しただけでは凝集しなかった排水中の含有物質を凝集させることが可能となり、高分子凝集剤を必要に応じ添加し、フロックを粗大化させて固液分離を行うことが容易にできるようになる。
【００２４】
また図２においては、排水１を通常（一般的な）の水酸化物処理方式の凝集反応を反応槽３５で行った後、固液分離槽３１に流入させ、固液分離槽３１で排水中の金属水酸化物を除去し、固液分離槽３１からオーバーフローする上澄み液を反応槽１０において、ｐＨメータ１１ａのｐＨ値が４以下（好ましくは３以下）になるように調整し、所定時間経過させた後、反応槽１０で酸分解された分解水を、反応槽１０内に具備しているバッフル板７ａを介してオーバーフローさせて、次のｐＨ調整槽２０に流入させる。
【００２５】
このｐＨ調整槽２０では、アルカリ剤４が投入される。アルカリ剤４の投入はｐＨ調整槽２０に具備されたｐＨメータ１１ｂによりｐＨ値を５以上１２以下、好ましくは５．５以上１０．５以下の一定値の範囲内に調整される。ｐＨ調整槽２０内に具備しているバッフル板７ｂを介してオーバーフローさせて、次の固液分離槽３０に流入させる。この固液分離槽３０において、流入水を任意の時間保持することで、この場合は図１で説明した排水処理方式よりもさらに高度な処理水６の水質を得ることができる。
【００２６】
また、図３を参照して、図２で説明した排水処理の工程を一部変更して、反応槽１０において酸分解した分解水を、ｐＨ調整槽２０に流入させる前段にキレート樹脂塔４０を配置して、キレート樹脂による吸着操作を行ってもよい。
【実施例】
【００２７】
次に具体的な実施例としてリチウム電池製造排水の処理方式について説明する。排水は生産の予定によって含有する金属や構成成分が変動する。そのため、典型的な排水として模擬排水を作製し、本発明の排水処理方法の効果を示す。
【００２８】
模擬排水は、リチウム電池の正極を作製する際に生成される排水、負極を作製する際に生成される排水、およびタイプの異なる２種類の電池の製造過程から生じる排水を用いた。２種類の原料製造工程、正極製造工程および負極製造工程それぞれの製造過程から得られる排水を各排水量の比率で混合したものを模擬排水とした。また、それぞれの排水は、同日に得た排水を用いて作製した。
【００２９】
これらの模擬排水を３種類用意し、それぞれ異なる処理を行った。まず、処理水１は模擬排水にPACを全体の３００ｐｐｍだけ添加し、ｐHを６に調整した。処理水２は模擬排水に塩化鉄を全体の３００ｐｐｍ添加し、ｐHを６に調整した。処理水３は、模擬排水にまず硫酸を添加し、ｐHを３に下げた。その後PACを全体の３００ｐｐｍ添加してｐHを６に戻した。これらの処理水の上澄み水の濁度と含有成分を測定した。結果を表１に示す。
【００３０】
【表１】
0005479923.tif 000002
【００３１】
表１には処理を行わない模擬排水の値も示した。処理水１および２を見ると、濁度は模擬排水より格段に低くなっていた。またNi、Co、Cuについては、若干低下していた。これは若干量回収できていたことを示す。しかし、ZnやFeについては、ほとんど回収できなかった。すなわち、PACや塩化鉄によってｐHを６に調整する処理では、あまり大幅な回収はできなかった。
【００３２】
一方、処理水３を他の処理水や模擬排水と比較すると、濁度は１／１００となり、その他の元素についても、１桁以上低くなっていた。すなわち、模擬排水の処理では、一度ｐHを酸性側に下げた後、再度中和処理をしてｐHが６程度になるように処理することで、効果的な金属イオンの回収ができることが分かった。
【００３３】
そこで、別の模擬排水を４種類用意し、そのｐＨが２になるまで酸性剤（例えば塩酸、硫酸）を投入した。投入後そのまま６０分放置したのち、４つのサンプル液に水酸化ナトリウムを投入し、それぞれｐＨが７、８、９、１０とした。各上澄み水を濾紙でろ過し、それぞれ処理液Ａ、Ｂ、Ｃ、Ｄとした。なお、環境は常温常湿でおこなった。
【００３４】
次に模擬排水を３種類用意し、上記同様ｐＨが２になるまで酸性剤を投入した。投入後の放置時間を５分、３０分、６０分放置したのち、各サンプル液に水酸化ナトリウムを投入し、それぞれｐＨを１０とした。それぞれ３０分静置し各上澄み水をそれぞれ処理液Ｅ、Ｆ、Ｇとし、濁度測定を行った。なお、環境は常温常湿でおこなった。
【００３５】
処理前の模擬排水および処理後の処理排水中の金属濃度を表２に示す。それぞれ、１リットル当たりの重量（ｍｇ）で測定されている。「Ｃｒ（ＶＩ）」は六価クロムを表わす。
【００３６】
【表２】
0005479923.tif 000003
【００３７】
処理液Ａ、Ｂ、Ｃ、Ｄを参照すると、六価クロムおよび亜鉛（Ｚｎ）は処理液Ａ（ｐＨ７）乃至Ｄ（ｐＨ１０）でほとんど回収できており、銅（Ｃｕ）も処理液Ｂ（ｐＨ８）乃至Ｄ（ｐＨ１０）でほとんど回収できていた。しかし、トータルクロム量、マンガン（Ｍｎ）、ニッケル（Ｎｉ）、コバルト（Ｃｏ）、鉄（Ｆｅ）は、ｐＨが大きくなるほど液中の含有量が減っており、効果的に回収できていた。すなわち、酸分解後の凝集ｐＨ値は１０がもっとも効果が高かった。
【００３８】
処理Ｅ、Ｆ、Ｇは、模擬排水を酸性にしてからの放置時間を変化させたときに、最終ｐＨ（ｐＨを１０に調整した後）の上澄みの濁度の差を示す。処理液Ｅ（５分）から処理液Ｇ（６０分）になるに従い、濁度が低下しているのがわかる。これは、模擬排水を酸性にしてからの放置時間が長くなるに従い、ｐＨ１０に調整した際の沈殿物の量が多くなっているためであった。すなわち、模擬排水中の金属をより効果的に回収できている結果であった。
【００３９】
以上のように本発明の処理方法は、酸分解を適切な時間行うことにより通常の水酸化物凝集処理で排水中の重金属を高い収率で処理可能にできた。
【産業上の利用可能性】
【００４０】
本発明は、電池製造、コンデンサなどの電子部品製造、液晶・ＰＤＰ・有機ＥＬなどのＦＰＤ製造および半導体製造の電子デバイスの洗浄工程から得られる排水処理でも利用可能である。
【符号の説明】
【００４１】
１  排水
２  酸性剤
３  液体キレート剤
４  アルカリ剤
６  処理水
７ａ  バッフル板
７ｂ  バッフル板
７ｃ  バッフル板
１０  反応槽
１１ａ  ｐＨメータ
１１ｂ  ｐＨメータ
１１ｃ  ｐＨメータ
２０  ｐＨ調整槽
３０、３１  固液分離槽
４０  キレート樹脂塔
【図１】
0005479923.tif 000004
【図２】
0005479923.tif 000005
【図３】
0005479923.tif 000006